Podtech/llm-jp-corpus-v4-ja_patent huggingface dataset:
【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
画像処理システムであって、
ＣＰＵと、
コプロセッサと、
主記憶制御回路と、
前記ＣＰＵ、前記コプロセッサ及び前記主記憶制御回路間を接続するバスと、
前記主記憶制御回路と接続される主記憶とを有し、
前記ＣＰＵは、前記コプロセッサを動作させる為に使用する処理内容を示す情報、処理単位毎に参照するデータの領域を示すアドレス、演算結果を出力する領域を示すアドレス、及び処理単位毎に必要な情報を有するデスクリプタを作成して前記主記憶に格納し、
前記コプロセッサは、前記デスクリプタを読み出して、前記デスクリプタに格納された情報に基づいて前記主記憶からデータを読み出して演算処理を行うことを特徴とする画像処理システム。
【請求項２】
請求項１記載の画像処理システムであって、
前記コプロセッサは、更にアドレス生成部と演算処理部とを有し、
前記アドレス生成部は、前記デスクリプタを格納するレジスタ及び前記デスクリプタに含まれる情報を元にアドレス生成を行うアドレス生成器を有し、
前記演算処理部は、データを読み込む読込み記憶回路、読込まれた前記データと処理内容を示す情報により演算を行う演算器及び前記演算器により生成した演算結果を格納する書込み記憶回路を有し、
前記演算処理部は、前記アドレス生成器で生成されたアドレスに従って前記データを前記読込み記憶回路に読み込み、前記書込み記憶回路から、前記アドレス生成器で生成される演算結果を出力する領域を示すアドレスを元に、演算結果を出力することを特徴とする画像処理システム。
【請求項３】
請求項２記載の画像処理システムであって、
前記デスクリプタには前記コプロセッサが次の演算処理で使用するデスクリプタが格納された領域のアドレスが含まれ、
前記アドレス生成部は、前記次の演算処理で使用するデスクリプタが格納された領域のアドレスを用いて、前記レジスタに前記デスクリプタを読み込むことを特徴とする画像処理システム。
【請求項４】
請求項３記載の画像処理システムであって、
前記コプロセッサは、ＭＰＥＧ復号処理における動き補償処理を行うことを特徴とする画像処理システム。
【請求項５】
請求項４記載の画像処理システムであって、
前記データとは、前記動き補償処理で使用される参照画像に対応するデータであることを特徴とする画像処理システム。
【請求項６】
請求項５記載の画像処理システムであって、
前記コプロセッサは、前記デスクリプタに基づいて、輝度成分と色差成分に対する前記動き補償処理を行うことを特徴とする画像処理システム。
【請求項７】
請求項６記載の画像処理システムであって、
複数の前記コプロセッサを有し、それぞれの前記コプロセッサには、輝度成分の動き補償処理と色差成分の動き補償処理が割当てられ、独立に処理が実行されることを特徴とする画像処理システム。
【請求項８】
請求項２記載の画像処理システムであって、
前記コプロセッサは、ＭＰＥＧ復号処理における離散コサイン変換処理の結果と動き補償処理の結果を加算する処理を行うことを特徴とする画像処理システム。
【請求項９】
請求項２に記載の画像処理システムであって、
前記読込み記憶回路はキャッシュメモリを有し、前記データの読込み時に、前記データに続くデータをキャッシュメモリに格納することを特徴とする画像処理システム。
【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
数値の組からなる「ベクトルデータ」を含む複数の「学習データ」を読み込む学習データ読込部と、
学習データ読込部で読み込まれた複数の学習データに基づいて、２次元面上に規則的に配列された「セル」に参照データが割り付けられたマップを作成するマップ作成部と、
セルに割り付けられた参照データにもとづいてマップ上の隣接するセル間の「距離」を算出する距離演算部と、
マップ上に距離演算部で算出された距離を視覚的に表示するための距離表示部を設けたことを特徴とするクラスタリング装置。
【請求項２】
距離表示部は、隣接するセル間の距離をセルの境界線の「太さ」又は「線種」又はセルの「色」により表示することを特徴とする請求項１に記載のクラスタリング装置。
【請求項３】
隣接するセル間の距離は、隣接するセルがそれぞれ有する参照データ間の「ユークリッド距離」又は「内積」により算出されることを特徴とする請求項１に記載のクラスタリング装置。
【請求項４】
マップ作成部は「ＳＯＭ学習アルゴリズム」に基づく学習を行うことによりマップ（ＳＯＭ）を作成することを特徴とする請求項１に記載のクラスタリング装置。
【請求項５】
数値の組からなる「ベクトルデータ」とデータの種類に関する情報である「属性データ」とを含む複数の「学習データ」を読み込む学習データ読込部と、
学習データ読込部で読み込まれた複数の学習データに基づいて「ＳＯＭ学習アルゴリズム」に基づく学習を行うことにより、２次元面上に規則的に配列された「セル」に「ベクトルデータ」と同次元のベクトルデータからなる「参照データ」を割り付けるとともに、１つの学習データごとに１つのセルを「発火セル」と定めてこの発火セルに当該学習データに含まれる属性データを割り付けたマップ（ＳＯＭ）を作成するＳＯＭ作成部と、
ＳＯＭ上の各セルを、セルに割り付けられた属性データに基づいて自動的に分類する分類部とを備えたことを特徴とするクラスタリング装置。
【請求項６】
クラスタリング装置は、所定の分類に属するセルの数と、その分類に属するセルに所定の属性データが割り付けられた回数との関係を示す「対照表」を表示する対照表表示部をさらに備えたことを特徴とする請求項５に記載のクラスタリング装置。
【請求項７】
クラスタリング装置は、所定の分類に属するセルに所定の属性データが割り付けられた回数に基づいて算出される「判別特性値」を表示する判別特性値表示部をさらに備えたことを特徴とする請求項５に記載のクラスタリング装置。
【請求項８】
クラスタリング装置は、分類部が決定したセルの分類を調整するためのクラスタ調整部をさらに備え、判別特性値表示部はクラスタ調整部による分類の調整に連動して判別特性値を更新することを特徴とする請求項７に記載のクラスタリング装置。
【請求項９】
(a)数値の組からなる「ベクトルデータ」を含む複数の「学習データ」を読み込み、
(b)読み込んだ複数の学習データに基づいて、２次元面上に規則的に配列された「セル」に参照データが割り付けられたマップを作成し、
(c)セルに割り付けられた参照データにもとづいてマップ上の隣接するセル間の「距離」を算出し、
(d)算出された距離をマップ上に視覚的に表示することを特徴とするクラスタリング方法。
【請求項１０】
(a)数値の組からなる「ベクトルデータ」とデータの種類に関する情報である「属性データ」とを含む複数の「学習データ」を読み込み、
(b)読み込んだ複数の学習データに基づいて「ＳＯＭ学習アルゴリズム」に基づく学習を行うことにより、２次元面上に規則的に配列された「セル」に「ベクトルデータ」と同次元のベクトルデータからなる「参照データ」を割り付けるとともに、１つの学習データごとに１つのセルを「発火セル」と定めてこの発火セルに当該学習データに含まれる属性データを割り付けたマップ（ＳＯＭ）を作成し、
(c)SOM上の各セルを、セルに割り付けられた属性データに基づいて自動的に分類することを特徴とするクラスタリング方法。
【手続補正２】
【補正対象書類名】明細書
【補正対象項目名】００１１
【補正方法】変更
【補正の内容】
【００１１】
【課題を解決するための手段】
上記課題を解決するためになされた本発明のクラスタリング装置は、数値の組からなる「ベクトルデータ」を含む複数の「学習データ」を読み込む学習データ読込部と、学習データ読込部で読み込まれた複数の学習データに基づいて、２次元面上に規則的に配列された「セル」に参照データが割り付けられたマップを作成するマップ作成部と、セルに割り付けられた参照データにもとづいてマップ上の隣接するセル間の「距離」を算出する距離演算部と、マップ上に距離演算部で算出された距離を視覚的に表示するための距離表示部を設ける。
【手続補正３】
【補正対象書類名】明細書
【補正対象項目名】００１６
【補正方法】変更
【補正の内容】
【００１６】
また、課題を解決するためになされた他の発明のクラスタリング装置は、数値の組からなる「ベクトルデータ」とデータの種類に関する情報である「属性データ」とを含む複数の「学習データ」を読み込む学習データ読込部と、学習データ読込部で読み込まれた複数の学習データに基づいて「ＳＯＭ学習アルゴリズム」に基づく学習を行うことにより、２次元面上に規則的に配列された「セル」に「ベクトルデータ」と同次元のベクトルデータからなる「参照データ」を割り付けるとともに、１つの学習データごとに１つのセルを「発火セル」と定めてこの発火セルに当該学習データに含まれる属性データを割り付けたマップ（ＳＯＭ）を作成するＳＯＭ作成部と、ＳＯＭ上の各セルを、セルに割り付けられた属性データに基づいて自動的に分類する分類部とを備えている。
【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
検体取り違いデータの集まるクラスタと正常データの集まるクラスタとにクラスタリングされたマップに未知データを配置させ、その未知データがどのクラスタに属するかによって検体を取り違えているか否かを判定する検体取り違い判定方法。
【請求項２】
マップがＳＯＭである請求項１記載の検体取り違い判定方法。
【請求項３】
検体取り違い判定に使用するマップを作成する方法であって、正常データと検体取り違いデータの混在する学習データを学習させて学習済マップを作成し、学習済マップを正常データの集まるクラスタと検体取り違いデータの集まるクラスタとにクラスタリングするマップ作成方法。
【請求項４】
マップがＳＯＭである請求項３記載のマップ作成方法。
【請求項５】
検体取り違い判定に使用するマップの作成に使用する学習データを作成する方法であって、異なる被験者の検体から検体取り違いデータを作成し、同一の被験者の検体から正常データを作成し、検体取り違いデータおよび正常データを混在させる学習データ作成方法。
【請求項６】
マップがＳＯＭである請求項５記載の学習データ作成方法。
【請求項７】
同一患者の以前の検査結果と今回の検査結果との差に基づいて作成された、検体の取り違いのない正常データと、別々の患者の以前の検査結果と今回の検査結果との差に基づいて作成された検体取り違いが発生した検体取り違いデータと、を学習データとして学習され、
各セルに参照データが割り付けられ、セルが、検体取り違いの発生を示す分類、または、検体取り違いがないことを示す分類に分類された自己組織化マップを記憶するマップ記憶手段と、
同一患者のものと予想される以前の検査結果と今回の検査結果との差に基づいて作成された未知データを、自己組織化マップの各セルに割り付けられた参照データと比較することによって、未知データが属するセルを検索する検索手段と、
未知データが属するセルの分類に基づいて、未知データが、検体取り違いの発生を示す分類、または、検体取り違いがないことを示す分類のいずれに分類されるかを決定する決定手段と、を備える検体取り違い判定装置。
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
オリジナルデータをネットワークを介して接続された２以上の分散された格納装置に分散格納する方法であって、オリジナルデータを所定ビット毎に読み出して、
読み出されたオリジナルデータを所定の論理で２以上の分割データに分割し、前記分割データ毎に前記２以上の格納装置に転送する分散格納方法。
【請求項２】
前記オリジナルデータを分割する際に、当該オリジナルデータを所定のまとまり毎にローテイト分割する請求項１記載の分散格納方法。
【請求項３】
前記ローテイト分割は、所定のデータのまとまり毎にパリティを設定し、
当該パリティの数値によってローテイト方向を変更する請求項２記載の分散格納方法。
【請求項４】
オリジナルデータを格納する記憶手段と、記憶手段内のオリジナルデータを読み出して所定の論理で２以上の分割データに分割する分割格納部と、前記分割データ毎にネットワークを介して接続される２以上の格納装置に転送するための分割バッファとからなる分散格納装置。
【請求項５】
前記オリジナルデータを分割する分割バッファの順番と前記格納装置のアドレスとを記憶した必要情報記憶手段を備えた請求項４記載の分散格納装置。
【請求項６】
オリジナルデータをネットワークを介して接続された２以上の分散された格納装置に分散格納するプログラムであって、オリジナルデータを所定ビット毎に読み出すステップと、読み出されたオリジナルデータを所定の論理で２以上の分割データに分割するステップと、前記分割データ毎に前記２以上の格納装置に転送するステップとからなるコンピュータ実行可能なプログラム。
【請求項７】
オリジナルデータをネットワークを介して接続された２以上の分散された格納装置に分散格納する方法であって、オリジナルデータを所定ビット毎に読み出して、
読み出されたオリジナルデータを所定の論理で２以上の分割データに分割し、前記分割データ毎のパリティを生成し、前記２以上の分割データとパリティとをそれぞれ３以上の格納装置に転送する分散格納方法。
【請求項８】
オリジナルデータをネットワークを介して接続された２以上の分散された格納装置に分散格納するプログラムであって、オリジナルデータを所定ビット毎に読み出すステップと、読み出されたオリジナルデータを所定の論理で２以上の分割データに分割するステップと、前記分割データ毎のパリティを生成するステップと、前記２以上の分割データとパリティとをそれぞれ３以上の格納装置に転送するステップとからなるコンピュータ実行可能なプログラム。  
【請求項９】
オリジナルサイトにおいて、記憶手段から読み出されたオリジナルデータが所定の論理で２以上の分割データに分割され２以上の分割バッファに順次格納されたもののいずれかの分割バッファからの分割データを、ネットワークを介して受信し格納する格納装置。
【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
情報記録媒体において、
平坦な基板と、
該基板上にＳｉＯ２から形成されている薄膜とを備え、
上記基板はＳｉＯ２を５０％〜９８％含むガラス基板であり、上記薄膜の表面に凹凸パターンが形成されており、該凹凸パターンはランド部及びグルーブ部を含み、ランド部またはグルーブ部における平面度が１μｍ以下、面粗度Ｒａが０．５ｎｍ以下、微小うねりが１０ｎｍ以下であることを特徴とする情報記録媒体。
【請求項２】
上記基板が、ソーダライムガラス、鉛ガラス、ホウケイ酸ガラス及びアルミナケイ酸ガラスからなる群から選択された一種から形成されていることを特徴とする請求項１に記載の情報記録媒体。
【請求項３】
上記基板の両面に上記薄膜を備えることを特徴とする請求項１または２に記載の情報記録媒体。
【請求項４】
上記ランド部及びグルーブ部の平坦部分の幅が５０ｎｍ以上であり、ランド部またはグルーブ部のエッジ部分の曲率が１００ｎｍ以下であることを特徴とする請求項１〜３のいずれか一項に記載の情報記録媒体。
【請求項５】
上記ランド部の上面からグルーブの底面までの高さをｈとし、トラックピッチをＴｐとしたときに、１０ｈ≧Ｔｐの関係を満たすことを特徴とする請求項１〜４のいずれか一項に記載の情報記録媒体。
【請求項６】
上記薄膜上に反射層、記録層及び保護層を備えることを特徴とする請求項１〜５のいずれか一項に記載の情報記録媒体。
【請求項７】
浮上型光ヘッドを用いて記録及び再生の少なくとも一方が行なわれることを特徴とする請求項１〜６のいずれか一項に記載の情報記録媒体。
【請求項８】
上記薄膜の膜厚が３０ｎｍ〜３００ｎｍであることを特徴とする請求項１〜７のいずれか一項に記載の情報記録媒体。
【請求項９】
ランド・グルーブ記録方式に従って情報が記録されることを特徴とする請求項１〜５のいずれか一項に記載の情報記録媒体。
【請求項１０】
ランド部またはグルーブ部の幅が０．５μｍ以下であることを特徴とする請求項１〜５のいずれか一項に記載の情報記録媒体。
【請求項１１】
上記薄膜にウォブル状のグルーブが形成されていることを特徴とする請求項１〜１０のいずれか一項に記載の情報記録媒体。
【手続補正書】
【提出日】平成17年3月24日(2005.3.24)
【手続補正１】
【補正対象書類名】明細書
【補正対象項目名】請求項１
【補正方法】変更
【補正の内容】
【請求項１】
保護基板厚ｔ１の第１光情報記録媒体に対して波長λ１の第１光源を用いて情報の再生及び／又は記録を行い、保護基板厚ｔ２（ｔ１＜ｔ２）の第２光情報記録媒体に対して波長λ２（λ１＜λ２）の第２光源を用いて情報の再生及び／又は記録を行うように保護基板厚の異なる複数種類の光情報記録媒体に対して情報の再生及び／又は記録を行う光ピックアップ装置において、
前記第１光源または前記第２光源からの光束を対物レンズを含む光学素子を介して前記情報記録面に結像させる光学系を備え、
前記対物レンズの光学機能面は光軸を中心とした少なくとも２つの同心円状の光学機能領域に分割され、光軸を含んだ第１領域を通過する光束が前記第１光情報記録媒体と前記第２光情報記録媒体の両方に対して情報の再生及び／又は記録に用いられ、前記第１領域の外側に位置する第２領域を通過する光束が主に前記第１光情報記録媒体に対して情報の再生及び／又は記録に用いられ、
前記第２領域には、前記光学系の使用温度の変化によって前記光学素子の屈折率及び前記第１光源の発振波長が変化した際に、前記情報記録面上の集光スポットの球面収差が前記第１光情報記録媒体の再生及び／又は記録可能な範囲内に収まるように補正するための回折構造が設けられていることを特徴とする光ピックアップ装置。
【手続補正２】
【補正対象書類名】明細書
【補正対象項目名】請求項１０
【補正方法】変更
【補正の内容】
【請求項１０】
保護基板厚ｔ１の第１光情報記録媒体に対して波長λ１の第１光源を用いて情報の再生及び／又は記録を行い、保護基板厚ｔ２（ｔ１＜ｔ２）の第２光情報記録媒体に対して波長λ２（λ１＜λ２）の第２光源を用いて情報の再生及び／又は記録を行うように保護基板厚の異なる複数種類の光情報記録媒体に対して情報の再生及び／又は記録を行う光ピックアップ装置用対物レンズであって、
前記光ピックアップ装置が前記第１光源または前記第２光源からの光束を前記対物レンズを含む光学素子を介して前記情報記録面に結像させる光学系を備え、
前記対物レンズの光学機能面は光軸を中心とした少なくとも２つの同心円状の光学機能領域に分割され、光軸を含んだ第１領域を通過する光束が前記第１光情報記録媒体と前記第２光情報記録媒体の両方に対して情報の再生及び／又は記録に用いられ、前記第１領域の外側に位置する第２領域を通過する光束が主に前記第１光情報記録媒体に対して情報の再生及び／又は記録に用いられ、
前記第２領域には、前記光学系の使用温度の変化によって前記光学素子の屈折率及び前記第１光源の発振波長が変化した際に、前記情報記録面上の集光スポットの球面収差が前記第１光情報記録媒体の再生及び／又は記録可能な範囲内に収まるように補正するための回折構造が設けられていることを特徴とする対物レンズ。
【手続補正３】
【補正対象書類名】明細書
【補正対象項目名】０００７
【補正方法】変更
【補正の内容】
【０００７】
【課題を解決するための手段】
上記目的を達成するために、本発明による光ピックアップ装置は、保護基板厚ｔ１の第１光情報記録媒体に対して波長λ１の第１光源を用いて情報の再生及び／又は記録を行い、保護基板厚ｔ２（ｔ１＜ｔ２）の第２光情報記録媒体に対して波長λ２（λ１＜λ２）の第２光源を用いて情報の再生及び／又は記録を行うように保護基板厚の異なる複数種類の光情報記録媒体に対して情報の再生及び／又は記録を行う光ピックアップ装置において、前記第１光源または前記第２光源からの光束を対物レンズを含む光学素子を介して前記情報記録面に結像させる光学系を備え、前記対物レンズの光学機能面は光軸を中心とした少なくとも２つの同心円状の光学機能領域に分割され、光軸を含んだ第１領域を通過する光束が前記第１光情報記録媒体と前記第２光情報記録媒体の両方に対して情報の再生及び／又は記録に用いられ、前記第１領域の外側に位置する第２領域を通過する光束が主に前記第１光情報記録媒体に対して情報の再生及び／又は記録に用いられ、前記第２領域には、前記光学系の使用温度の変化によって前記光学素子の屈折率及び前記第１光源の発振波長が変化した際に、前記情報記録面上の集光スポットの球面収差が前記第１光情報記録媒体の再生及び／又は記録可能な範囲内に収まるように補正するための回折構造が設けられていることを特徴とする。
【手続補正４】
【補正対象書類名】明細書
【補正対象項目名】００２４
【補正方法】変更
【補正の内容】
【００２４】
また、本発明による対物レンズは、保護基板厚ｔ１の第１光情報記録媒体に対して波長λ１の第１光源を用いて情報の再生及び／又は記録を行い、保護基板厚ｔ２（ｔ１＜ｔ２）の第２光情報記録媒体に対して波長λ２（λ１＜λ２）の第２光源を用いて情報の再生及び／又は記録を行うように保護基板厚の異なる複数種類の光情報記録媒体に対して情報の再生及び／又は記録を行う光ピックアップ装置用対物レンズであって、前記光ピックアップ装置が前記第１光源または前記第２光源からの光束を前記対物レンズを含む光学素子を介して前記情報記録面に結像させる光学系を備え、前記対物レンズの光学機能面は光軸を中心とした少なくとも２つの同心円状の光学機能領域に分割され、光軸を含んだ第１領域を通過する光束が前記第１光情報記録媒体と前記第２光情報記録媒体の両方に対して情報の再生及び／又は記録に用いられ、前記第１領域の外側に位置する第２領域を通過する光束が主に前記第１光情報記録媒体に対して情報の再生及び／又は記録に用いられ、前記第２領域には、前記光学系の使用温度の変化によって前記光学素子の屈折率及び前記第１光源の発振波長が変化した際に、前記情報記録面上の集光スポットの球面収差が前記第１光情報記録媒体の再生及び／又は記録可能な範囲内に収まるように補正するための回折構造が設けられていることを特徴とする。
【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
光学記録媒体に記録されたデータを読み取るためのレーザ光を出力するレーザ光源と、
上記光学記録媒体と対向配置される対物レンズと、
上記光学記録媒体からの戻り光を分離する光学系と、
上記光学系からの光を電気信号に変換する信号変換手段と、
上記対物レンズと上記光学系との間に配置された位相補償部とを有し、
上記位相補償部の位相補償量は、異なる物理フォーマットを有する複数の光学記録媒体に対して、該光学記録媒体からの反射光のクロストークを低減する値であること
を特徴とする光学ヘッド。
【請求項２】
平行光を生成するコリメータレンズを上記対物レンズと上記光学系との間に備え、
上記位相補償部は、上記対物レンズと上記コリメータレンズとの間に配置されることを特徴とする請求項１記載の光学ヘッド。
【請求項３】
上記位相補償部の位相補償量は、２０度以上の値であることを特徴とする請求項１記載の光学ヘッド。
【請求項４】
上記レーザ光の波長は、７８０ｎｍであり、上記レーザ光源の開口率は、ＮＡ＝０．４５であることを特徴とする請求項１記載の光学ヘッド。
【請求項５】
互いに異なる光学記録媒体に異なる記録形式で記録されたデータを同一の光学的仕様によって再生するディスク再生装置において、
光学記録媒体に記録されたデータを読み取るためのレーザ光を出力するレーザ光源と、
上記光学記録媒体と対向配置される対物レンズと、
上記光学記録媒体からの戻り光を分離する光学系と、
上記光学系からの光を電気信号に変換する信号変換手段と、
上記対物レンズと上記光学系との間に配置された位相補償部とを有し、
上記位相補償部の位相補償量は、異なる物理フォーマットを有する複数の光学記録媒体に対して、該光学記録媒体からの反射光のクロストークを低減する値であること
を特徴とするディスク再生装置。
【請求項６】
平行光を生成するコリメータレンズを上記対物レンズと上記光学系との間に備え、
上記位相補償部は、上記対物レンズと上記コリメータレンズとの間に配置されることを特徴とする請求項５記載のディスク再生装置。
【請求項７】
上記位相補償部の位相補償量は、２０度以上の値であることを特徴とする請求項５記載のディスク再生装置。
【請求項８】
上記レーザ光の波長は、７８０ｎｍであり、上記レーザ光源の開口率は、ＮＡ＝０．４５であることを特徴とする請求項５記載のディスク再生装置。
【手続補正２】
【補正対象書類名】明細書
【補正対象項目名】０００９
【補正方法】変更
【補正の内容】
【０００９】
【課題を解決するための手段】
上述した目的を達成するために、本発明に係る光学ヘッドは、光学記録媒体に記録されたデータを読み取るためのレーザ光が照射されるレーザ光源と、光学記録媒体と対向配置される対物レンズと、光学記録媒体からの戻り光を分離する光学系と、光学系からの光を電気信号に変換する信号変換手段と、対物レンズと光学系との間に配置された位相補償部とを有し、位相補償部の位相補償量は、異なる物理フォーマットを有する複数の光学記録媒体に対して、該光学記録媒体からの反射光のクロストークを低減する値であることを特徴とする。
【手続補正３】
【補正対象書類名】明細書
【補正対象項目名】００１０
【補正方法】変更
【補正の内容】
【００１０】
また、上述した目的を達成するために、本発明に係るディスク再生装置は、互いに異なる光学記録媒体に異なる記録形式で記録されたデータを同一の光学的仕様によって再生するディスク再生装置であって、光学記録媒体に記録されたデータを読み取るためのレーザ光が照射されるレーザ光源と、光学記録媒体と対向配置される対物レンズと、光学記録媒体からの戻り光を分離する光学系と、光学系からの光を電気信号に変換する信号変換手段と、対物レンズと光学系との間に配置された位相補償部とを有し、位相補償部の位相補償量は、異なる物理フォーマットを有する複数の光学記録媒体に対して、該光学記録媒体からの反射光のクロストークを低減する値であることを特徴としている。
【手続補正書】
【提出日】平成17年1月18日(2005.1.18)
【手続補正１】
【補正対象書類名】明細書
【補正対象項目名】特許請求の範囲
【補正方法】変更
【補正の内容】
【特許請求の範囲】
【請求項１】
医療機関などレセプト作成機関のサーバが、レセプトの送付先を被保険者毎に選択して適宜な処理を行う方法であって、
被保険者毎に予め選定された審査支払機関の情報を格納したデータベースから、レセプトの作成由来となる被保険者に応じた審査支払機関を選択するステップと、
選択された審査支払機関の端末のネットワーク上のアドレスを認識し、このアドレスに宛てて前記被保険者由来のレセプトを送信するステップと、
を含むことを特徴とするレセプト処理方法。
【請求項２】
前記レセプトの送信処理に先立つレセプト作成に際し、選択された審査支払機関向けに予め定められたレセプトフォーマットを、当該フォーマットと審査支払機関との関係を定めたフォーマットデータベースに該当審査支払機関の識別情報を照合させて検索するステップと、
検索されたレセプトフォーマットのデータを出力装置に出力するか、又は当該レセプトフォーマットに対して対応するレセプト用データをはめこんでレセプトを作成するステップと、
を含むことを特徴とする請求項１に記載のレセプト処理方法。
【請求項３】
前記審査支払機関の検索ステップにおける前記データベースが、被保険者属性や、請求点数や病傷名などのレセプト内容に対して、選定すべき審査支払機関を関連付けしたデータ構成をなし、
前記サーバは、被保険者由来の前記被保険者属性やレセプト内容に基づき、前記データベースにおける審査支払機関の選択を実行することを特徴とする請求項１に記載のレセプト処理方法。
【請求項４】
被保険者毎の保険資格の有効性情報と前記データベースとを備える資格審査機関端末に対して、被保険者属性の情報を含む保険資格照会依頼を行うことで、該当被保険者の資格照会結果を取得する一方で、当該資格審査機関端末においてなされた被保険者に応じた審査支払機関の選択処理結果を取得することを特徴とする請求項１に記載のレセプト処理方法。
【請求項５】
前記データベース乃至資格審査機関端末の機能を前記審査支払機関の端末が備えることを特徴とする請求項１に記載のレセプト処理方法。
【請求項６】
前記サーバまたは資格審査機関端末が前記データベースにおける審査支払機関の選択を実行する際のキーとなる、被保険者属性やレセプト内容を、入力端末における入力動作を受付けて取得するか、又は当該被保険者が有する記録媒体に対する読取り動作で得られた情報を読取り装置から取得することを特徴とする請求項１に記載のレセプト処理方法。
【請求項７】
レセプトの送付先を被保険者毎に選択して適宜なレセプト処理を行う方法を実現するシステムであって、
被保険者毎に予め選定された審査支払機関の情報を格納したデータベースから、レセプトの作成由来となる被保険者に応じた審査支払機関を選択する手段と、
選択された審査支払機関の端末のネットワーク上のアドレスを認識し、このアドレスに宛てて前記被保険者由来のレセプトを送信する手段と、
を備えたことを特徴とするレセプト処理システム。
【請求項８】
レセプトの送付先を被保険者毎に選択して適宜なレセプト処理を行う方法をコンピュータ上で実現するプログラムであって、
被保険者毎に予め選定された審査支払機関の情報を格納したデータベースから、レセプトの作成由来となる被保険者に応じた審査支払機関を選択するステップと、
選択された審査支払機関の端末のネットワーク上のアドレスを認識し、このアドレスに宛てて前記被保険者由来のレセプトを送信するステップと、
を含むことを特徴とするレセプト処理プログラム。
【請求項９】
請求項８に記載のレセプト処理プログラムを記録したコンピュータ読み取り可能な記録媒体。
【請求項１０】
被保険者毎の保険資格の有効性情報と前記データベースとを備え、
前記サーバからの被保険者属性の情報を含む保険資格照会依頼を受け付けて該当被保険者の資格照会処理を行う手段と、
その処理結果をサーバに返信する一方で、被保険者に応じた審査支払機関の前記選択処理を行う手段と、
を備えたことを特徴とする資格審査機関端末。
【手続補正書】
【提出日】平成17年3月28日(2005.3.28)
【手続補正１】
【補正対象書類名】明細書
【補正対象項目名】発明の名称
【補正方法】変更
【補正の内容】
【発明の名称】Ｗｅｂシステムでの外字入出力方法および外字入出力装置
【手続補正２】
【補正対象書類名】明細書
【補正対象項目名】特許請求の範囲
【補正方法】変更
【補正の内容】
【特許請求の範囲】
【請求項１】
行政に対して利用者端末からネットワークを介して電子申請を行う場合のＷｅｂシステムでの外字入出力方法であって、
行政内のネットワーク上に外字管理用のサーバを設け、
利用者端末がＷｅｂ上から文字を検索して参照することができるようにし、
該利用者端末が入力した申請書中に外字が存在するとき、前記外字管理用サーバが前記外字について辞書を検索し、かつ前記外字を管理するために、前記外字のフォントと該外字を識別できる辞書内でのユニークな値を持たせ、
前記外字管理用サーバから利用者端末に外字を含む画像イメージを送信することにより、該外字管理用サーバと接続されている端末に対して同じ外字の表示を可能にすることを特徴とするＷｅｂシステムでの外字入出力方法。
【請求項２】
利用者端末からネットワークを介して電子申請を受け付ける自治体のＷｅｂシステムでの外字入出力装置であって、
申請システムのホームページを有し、利用者端末からネットワークを介して申請を受け付け、外字を検索して検索結果を外字サーバに転送するＷｅｂサーバと、
外字の入力が発生した場合、辞書を検索して検索結果から選択された外字の管理番号を該利用者端末に送信する外字管理システムと、
該外字管理システムから外字の管理番号とともに外字を含んだ申請内容をイメージデータとして受信し、確認画面を表示した後に、電子申請を行う利用者端末または携帯電話機と、
該利用者端末または携帯電話機から送信してきた申請書を受信し、前記外字管理サーバに対して該申請書中の外字の同定を行った後、申請の処理を行う業務サーバとを具備するＷｅｂシステムでの外字入出力装置。
【手続補正３】
【補正対象書類名】明細書
【補正対象項目名】０００１
【補正方法】変更
【補正の内容】
【０００１】
【発明の属する技術分野】
本発明は、電子行政における外字入出力方法と装置に関し、特にＷｅｂシステムでの外字入出力方法および外字入出力装置に関する。
【手続補正４】
【補正対象書類名】明細書
【補正対象項目名】０００９
【補正方法】変更
【補正の内容】
【０００９】
そこで、本発明の目的は、これら従来の課題を解決し、送信側と受信側で同じ文字情報を扱うことが可能となり、行政側はネットワークを介して送られてきた利用者からの申請を、適切に認識でき、そのまま業務処理することが可能なＷｅｂシステムでの外字入出力方法および外字入出力装置を提供することにある。
【手続補正５】
【補正対象書類名】明細書
【補正対象項目名】００１０
【補正方法】変更
【補正の内容】
【００１０】
【課題を解決するための手段】
上記目的を達成するため、本発明のＷｅｂシステムでの外字入出力方法は、行政内のネットワーク上に外字管理用のサーバを設け、利用者端末がＷｅｂ上から文字を検索して参照することができるようにし、該利用者端末が入力した申請書中に外字がある場合、前記外字管理用サーバが辞書を検索し、前記外字を管理するために、前記外字のフォントと該外字を識別できる辞書内でのユニークな値を持たせ、前記外字管理用サーバから利用者端末に外字を含む画像イメージを送信することにより、該外字管理用サーバと接続されている端末に対して同じ外字の表示を可能にすることを特徴としている。
【手続補正６】
【補正対象書類名】明細書
【補正対象項目名】００１１
【補正方法】変更
【補正の内容】
【００１１】
【発明の実施の形態】
以下、本発明の実施例を、図面により詳細に説明する。
（全体構成）
図３は、本発明の一実施例を示すＷｅｂシステムでの外字入出力装置の全体ブロック図である。
ここでは、一例として地方自治体、すなわち都道府県または市区町村の役所５０内に、業務システム内の業務サーバ１２０と、ＷＷＷシステム内のＷＷＷサーバ１００と、庁内の外字システム内の外字サーバ１１０とを設ける。
いま、利用者４０の利用者端末１０から自治体５０に申請書をインターネット６０を介して提出する場合を考える。図３において、丸付き数字４〜丸付き数字９の番号は処理順序を示している。
【手続補正７】
【補正対象書類名】明細書
【補正対象項目名】００１４
【補正方法】変更
【補正の内容】
【００１４】
（動作シーケンス）
図１は、本発明の一実施例を示すＷｅｂシステムでの外字入出力方法の処理シーケンスチャートである。利用者・申請者、ＷＷＷシステムおよび外字システムの間での電子文書のやりとり（１）〜（７）が示されている。
（１）先ず、利用者・申請者は、申請システムのホームページにアクセスして、申請に必要な事項を画面上に記入する（ステップ１１）。記入の途中で外字が入力される（ステップ１２）。
【手続補正８】
【補正対象書類名】明細書
【補正対象項目名】００２０
【補正方法】変更
【補正の内容】
【００２０】
（外字入出力画面イメージ）
図２は、本発明の一実施例を示すＷｅｂシステムでの外字入出力方法の画面イメージ説明図である。
利用者・申請者、Ｗｅｂサーバ、外字管理システムの間のやりとりにおける画面が示される。申請書作成フェーズでは、利用者・申請者は申請書用ホームページを参照して、申請書類の選択を行い（３１）、Ｗｅｂサーバに送信する。Ｗｅｂサーバでは、画面（３２）が表示される。住所欄と氏名欄の欄外には、外字ボタンがあり、この一方または両方に外字が含まれる場合には、‘外’ボタンを押下することにより、外字管理システムに移動する。
【手続補正９】
【補正対象書類名】明細書
【補正対象項目名】図面の簡単な説明
【補正方法】変更
【補正の内容】
【図面の簡単な説明】
【図１】
本発明の一実施例を示すＷｅｂシステムでの外字の処理方法のシーケンスチャートである。
【図２】
本発明の一実施例を示すＷｅｂシステムでの外字入出力画面イメージ図である。
【図３】
本発明の一実施例を示すＷｅｂシステムでの外字入出力装置の全体ブロック図である。
【符号の説明】
１０…利用者端末、２０…業務端末、３０…業務端末、４０…利用者、
５０…自治体、６０…インターネット、１００…ＷＷＷサーバ、
１１０…外字サーバ、１２０…業務サーバ、３０Ａ…外字管理データベース。
【手続補正１０】
【補正対象書類名】図面
【補正対象項目名】図２
【補正方法】変更
【補正の内容】
【図２】
2003296315.tif 000001
【手続補正書】
【提出日】平成17年2月1日(2005.2.1)
【手続補正１】
【補正対象書類名】明細書
【補正対象項目名】発明の名称
【補正方法】変更
【補正の内容】
【発明の名称】知識抽出方法、知識抽出システム
【手続補正２】
【補正対象書類名】明細書
【補正対象項目名】特許請求の範囲
【補正方法】変更
【補正の内容】
【特許請求の範囲】
【請求項１】
事実を描写した文の集合を所見フィールドに格納し、該描写された事実に関するなんらかの判断を述べた文集合を格納する判断フィールドを含むレコードを格納したデータベース（DB）において、前記判断フィールドが所定の条件を満たすレコード集合を抽出し、該抽出されたレコード集合中の所見フィールドから、特異的に頻出する文記述のパターンを典型記述パターンとして抽出し、該抽出された典型記述パターンをユーザによって選択可能に提示し、該選択された典型記述パターンを、前記レコード集合抽出に用いた判断フィールドに関する条件と対応付けて記録することを特徴とする知識抽出方法。
【請求項２】
請求項１記載の知識抽出方法において、前記DB中に出現する文中の動詞句VPに対し、VPが取る格｛C_1、…、C_VP（m）｝に対し、格C_iに対応する名詞句NP_iを認定し、該認定された名詞句とVPとの組｛VP、NP_1、…、NP_VP（m）｝を格表現として生成し、前記NP_iのうち任意個を特定の同一記号（ワイルドカード）に置換された組｛VP、NP_1’、…、NP_VP（m）’｝を一般化格表現として生成し、前記典型記述パターンとして、該一般化格表現を用いることを含む。
【請求項３】
請求項２記載の知識抽出方法を用いて前記典型記述パターンとして抽出された一般化格表現の提示において、同一の動詞句ごとに、該動詞句を要素に持つ一般化格表現中に現れる名詞句を提示し、そのうちの任意の要素をユーザが選択可能とすることを特徴とする知識抽出方法。
【請求項４】
請求項２記載の知識抽出方法を用いて前記典型記述パターンとして抽出された一般化格表現の提示において、そこに現れる名詞句を修飾する語句を前記DB中より抽出して提示し、そのうちの任意の修飾語をユーザが選択可能とすることを特徴とする知識抽出方法。
【請求項５】
事実を描写した文の集合を所見フィールドに格納する手段と、該描写された事実に関するなんらかの判断を述べた文集合を格納する判断フィールドを含むレコードを格納したデータベースとを備えた知識抽出システムにおいて、前記判断フィールドが所定の条件を満たすレコード集合を抽出する手段と、該抽出されたレコード集合中の所見フィールドから、特異的に頻出する文記述のパターンを典型記述パターンとして抽出する手段と、該抽出された典型記述パターンをユーザによって選択可能に提示し、該選択された典型記述パターンを、前記レコード集合抽出に用いた判断フィールドに関する条件と対応付けて記録する手段と、ことを特徴とする知識抽出システム。
【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
幅の異なる複数の通帳等冊子類を搬送し印字する機能を備えた印字装置において、
一軸に複数個の第１のローラを配置しモータにて回転駆動する第１の搬送ローラ軸と、
前記複数個の第１のローラに対向した複数個の第２のローラを配置した第２の搬送ローラ軸と、
前記第２の搬送ローラ軸は略中央位置にて継手にて二分割され、該二分割された各々の第２の搬送ローラ軸は独立して前記第１の搬送ローラ軸に圧着される付勢手段を備え、
前記各々の第２の搬送ローラ軸には複数個のローラを配置し、
前記第１の搬送ローラ軸には第１のギヤを備え、
前記第２の搬送ローラ軸には第２のギヤを備え、
前記第１および第２のギヤによって、前記第１の搬送ローラ軸の回転駆動力を前記第２の搬送ローラ軸に伝達させること
を特徴とする印字装置。
【請求項２】
搬送方向に対し平行な方向に綴じ線を持った複数幅の冊子を開いて搬送し、開いた冊子の片側の頁に対し前記下側搬送ローラ軸及び上側圧着ローラ軸には複数個のローラを配したことを特徴とする請求項1記載の印字装置。
【請求項３】
搬送方向に対し平行な方向に綴じ線を持った複数幅の冊子を開いて搬送し、該冊子の左端を案内するガイドを備え、該ガイドと最小幅冊子の綴じ線位置に挟まれた領域に同軸上の２個のローラを、最大幅冊子の綴じ線位置と、最小幅冊子の右端位置に挟まれた領域に同軸上の２個のローラを配したことを特徴とする請求項1に記載の印字装置。
【請求項４】
搬送方向に対し平行な方向に綴じ線を持った複数幅の冊子を開いて搬送し、該冊子の右端を案内するガイドを備え、該ガイドと最小幅冊子の綴じ線位置に挟まれた領域に同軸上の２個のローラを、最大幅冊子の綴じ線位置と、最小幅冊子の左端位置に挟まれた領域に同軸上の２個のローラを配したことを特徴とする請求項1に記載の印字装置。
【請求項５】
開いた状態の冊子媒体を搬送するための搬送機構において、
前記冊子媒体の第１の面に面する第１の搬送ローラ軸と、
前記冊子媒体の第２の面に面する第２の搬送ローラ軸であって第１の支軸と第２の支軸を有する第２の搬送ローラ軸とを備え、
前記第１の支軸は、前記冊子媒体の第１の頁に接する第１のローラを備え、
前記第２の支軸は、前記冊子媒体の第２の頁に接する第２のローラを備え、
前記第１の搬送ローラ軸および前記第２の搬送ローラ軸のいずれかを回転駆動するモータの回転駆動力を、それぞれの搬送ローラ軸に具備したギヤによって、他の搬送ローラ軸へ伝達する
ことを特徴とする搬送機構。
【請求項６】
幅が異なる複数の冊子媒体を搬送するための搬送機構において、
搬送される冊子媒体の一端が接するガイドと、
前記搬送される冊子媒体の下面に接する第１、第２のローラを備える第１の搬送ローラ軸と、
前記搬送される冊子媒体の上面に接する第３、第４のローラを備える第２の搬送ローラ軸とを有し、
前記第２の搬送ローラ軸は、第１の支軸と第２の支軸を有し、
前記ガイド側から第１の領域と第２の領域と第３の領域とを有し、
前記第１の領域に前記第３のローラを配置し、前記第３の領域に前記第４のローラを配置し、
前記第２の領域に前記第１の支軸と前記第２の支軸の接続部を有し
前記第１の搬送ローラ軸および前記第２の搬送ローラ軸のいずれかを回転駆動するモータの回転駆動力を、それぞれの搬送ローラ軸に具備したギヤによって、他の搬送ローラ軸へ伝達する
ことを特徴とする搬送機構。
【手続補正書】
【提出日】平成16年11月16日(2004.11.16)
【手続補正１】
【補正対象書類名】明細書
【補正対象項目名】発明の名称
【補正方法】変更
【補正の内容】
【発明の名称】プリンタドライバ、このプリンタドライバを記録したコンピュータ読み取り可能な記録媒体、画像処理装置およびプリンタシステム
【手続補正２】
【補正対象書類名】明細書
【補正対象項目名】特許請求の範囲
【補正方法】変更
【補正の内容】
【特許請求の範囲】
【請求項１】
アプリケーション・プログラムから受け取った文字や画像のデータをプリンタが解釈できるデータに変換し、プリンタの状態を見ながらデータを送信するようにホストコンピュータを機能させるプリンタドライバにおいて、
アプリケーション・プログラムから送られた印刷ページのページ情報に基づいて印刷ページが属するグループを判断し、印刷ページの印刷順序を入れ替えてグループごとに印刷ページのデータをプリンタに送信する制御を行うことを特徴とするプリンタドライバ。
【請求項２】
印刷ページのサイズごとにまとめてプリンタに送信することを特徴とする請求項１記載のプリンタドライバ。
【請求項３】
印刷ページの向きごとにまとめてプリンタに送信することを特徴とする請求項１記載のプリンタドライバ。
【請求項４】
グループ分けのモードを設定した場合に、
アプリケーション・プログラムから受信した印刷ページをファイルにファイル名を付与して保存し、
アプリケーション・プログラムから受信した印刷ページにおけるページ情報と同じ条件を有するページ管理テーブルの有無を検知し、同じ条件のページ管理テーブルが存在すれば前記ページ管理テーブルに印刷ページのファイル名を追加し、同じ条件のページ管理テーブルが存在しなければページ管理テーブルを新規に作成して前記印刷ページのファイル名を追加して印刷ページのグループを形成し、
印刷ページをすべて受信した後、ページ管理テーブルからファイル名を読み出して、対応する印刷ページをファイルからプリンタに送信することを特徴とする請求項１，２または３記載のプリンタドライバ。
【請求項５】
ホストコンピュータと、このホストコンピュータに接続されたプリンタとからなり、ホストコンピュータに、文字や画像のデータを作成するアプリケーション・プログラムおよび請求項１〜４のいずれか１項記載のプリンタドライバを導入したことを特徴とするプリンタシステム。
【請求項６】
請求項１〜４のいずれか１項記載のプリンタドライバを記録したことを特徴とするコンピュータ読み取り可能な記録媒体。
【請求項７】
文字や画像のデータをプリンタが解釈できるデータに変換し、プリンタの状態を見ながらデータを送信するデータ処理部を有する画像処理装置において、前記データ処理部に、印刷ページのページ情報に基づいて印刷ページが属するグループを判断し、印刷ページの印刷順序を入れ替えてグループごとに印刷ページのデータをプリンタに送信する制御をさせることを特徴とする画像処理装置。
【請求項８】
前記データ処理部は、印刷ページのサイズごとにまとめてプリンタに送信することを特徴とする請求項７記載の画像処理装置。
【請求項９】
前記データ処理部は、印刷ページの向きごとにまとめてプリンタに送信することを特徴とする請求項７記載の画像処理装置。
【請求項１０】
前記データ処理部は、グループ分けのモードを設定した場合に、印刷ページをファイルにファイル名を付与して保存し、アプリケーション・プログラムから受信した印刷ページにおけるページ情報と同じ条件を有するページ管理テーブルの有無を検知し、同じ条件のページ管理テーブルが存在すれば前記ページ管理テーブルに印刷ページのファイル名を追加し、同じ条件のページ管理テーブルが存在しなければページ管理テーブルを新規に作成して前記印刷ページのファイル名を追加して印刷ページのグループを形成し、印刷ページをすべて受信した後、ページ管理テーブルからファイル名を読み出して、対応する印刷ページをファイルからプリンタに送信することを特徴とする請求項７，８または９記載の画像処理装置。
【手続補正３】
【補正対象書類名】明細書
【補正対象項目名】０００１
【補正方法】変更
【補正の内容】
【０００１】
【発明の属する技術分野】
本発明は、プリンタドライバ、このプリンタドライバを記録したコンピュータ読み取り可能な記録媒体、画像処理装置およびプリンタシステムに関する。
【手続補正４】
【補正対象書類名】明細書
【補正対象項目名】０００４
【補正方法】変更
【補正の内容】
【０００４】
本発明は、ページ入れ替え機能を入れることによって、どのようなアプリケーションからでも印刷順序を入れ替えて印刷できるようにし、特に用紙サイズ、向きの一致するページをそれぞれまとめて印刷することによって、ステープルやパンチなどを確実に行うことを実現したプリンタシステム、プリンタドライバ、このプリンタドライバを記録したコンピュータ読み取り可能な記録媒体および画像処理装置を提供することを目的とする。
【手続補正５】
【補正対象書類名】明細書
【補正対象項目名】０００８
【補正方法】変更
【補正の内容】
【０００８】
また本発明のプリンタシステムは、ホストコンピュータと、このホストコンピュータに接続されたプリンタとからなり、ホストコンピュータに、文字や画像のデータを作成するアプリケーション・プログラムおよび前述した本発明のプリンタドライバを導入したことを特徴とする。このように構成したことにより、ページ入れ替え機能を持たないアプリケーションからでも印刷順序を入れ替え（ページの並び替え）て、プリンタから出力させることが可能になる。
また本発明のコンピュータ読み取り可能な記録媒体は、前述したプリンタドライバを記録したことを特徴とする。
また本発明の画像処理装置は、文字や画像のデータをプリンタが解釈できるデータに変換し、プリンタの状態を見ながらデータを送信するデータ処理部を有する画像処理装置において、前記データ処理部に、印刷ページのページ情報に基づいて印刷ページが属するグループを判断し、印刷ページの印刷順序を入れ替えてグループごとに印刷ページのデータをプリンタに送信する制御をさせることを特徴とする。
【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】
複数種類のインクを用いてカラー画像の印刷を行う印刷装置であって、
カラー画像データを、シアンとマゼンタとイエローの３種類の１次色インクと、前記３種類の１次色インクの混合で得られる特定の３次色と等価な色を有するとともに前記特定の３次色の分光反射率特性よりも平坦な分光反射率特性を有するメタメリズム改善用インクと、を含む複数種類のインクのインク量データに変換する色変換処理部を備え、
前記色変換処理部は、前記カラー画像内の少なくとも１つの色を、前記メタメリズム改善用インクと、前記３種類の１次色インクの少なくとも１つとを用いて再現し、これによって、前記少なくとも１つの色の分光反射率特性を、前記３種類の１次色インクの混合で再現される場合よりも平坦にするように色変換を実行する、印刷装置。
【請求項２】
請求項１記載の印刷装置であって、
前記３種類の１次色インクと前記メタメリズム改善用インクとは、いずれも顔料インクである、印刷装置。
【請求項３】
請求項１または２記載の印刷装置であって、
前記色変換処理部は、
前記少なくとも１つの色を前記３種類の１次色インクの混合で再現するものと仮定するときの前記３種類の１次色インクのインク使用量の少なくとも一部を、前記メタメリズム改善用インクで置き換える処理を実行可能であり、
この際、前記少なくとも１つの色の明度が特定の範囲内にあるときには、前記メタメリズム改善用インクのインク量として、前記少なくとも１つの色を再現するために使用可能な前記メタメリズム改善用インクの最大可能使用量の約５０％以上を採用する、印刷装置。
【請求項４】
請求項３記載の印刷装置であって、
前記明度の特定の範囲は、約２０％〜約８０％の範囲である、印刷装置。
【請求項５】
請求項１ないし４のいずれかに記載の印刷装置であって、
前記メタメリズム改善用インクは、ブラックインク用の色材と、他の色の色材とを含む、印刷装置。
【請求項６】
複数種類のインクを印刷媒体上に吐出することによってカラー画像の印刷を行う方法であって、
シアンとマゼンタとイエローの３種類の１次色インクの混合で得られる特定の３次色と等価な色を有するとともに、前記特定の３次色の分光反射率特性よりも平坦な分光反射率特性を有するメタメリズム改善用インクと、前記３種類の１次色インクの少なくとも１つとを用いて前記カラー画像内の少なくとも１つの色を再現し、これによって、前記少なくとも１つの色の分光反射率特性を、前記３種類の１次色インクの混合で再現される場合よりも平坦にすることを特徴とする印刷方法。
【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】  耐水性支持体上に少なくとも１層のインク受容層を設けたインクジェット用記録材料において、該インク受容層が酸で分散されたアルミナまたはアルミナ水和物、ほう酸またはほう酸塩、及び親水性バインダーを含有するインク受容層（Ａ）であり、該インク受容層Ａの塗布組成物が４０℃の粘度が３００ｍＰａ・ｓ以下で１５℃の粘度が７００ｍＰａ・ｓ以上であることを特徴とするインクジェット用記録材料。
【請求項２】  耐水性支持体上に少なくとも２層のインク受容層を設けたインクジェット用記録材料において、該耐水性支持体に近いインク受容層として無機微粒子、及び親水性バインダーを含有するインク受容層（Ｂ）を設け、耐水性支持体から遠いインク受容層として請求項１記載のインク受容層Ａを設けたものであり、該インク受容層Ｂの塗布組成物の４０℃の粘度が３００ｍＰａ・ｓ以下であり、１５℃の粘度が７００ｍＰａ・ｓ以上であることを特徴とするインクジェット用記録材料。